(57)【要約】【課題】構造の合理化を図ったインターホン機器を提供する。【解決手段】レンズホルダー１４に、カメラ基板１３を貫通して後側へ突出する３つのガイド突起２５、２５・・を設けるとともに、角度調整部材１６の本体３１に、ガイド突起２５の先端を差し込み可能で、且つ、ガイド突起２５におけるカメラ基板１３の後側への突出量よりも底が深い３つのガイド凹部３４、３４・・を設け、角度調整部材１６をカメラ基板１３の後側に配した際、各ガイド突起２５の先端とガイド凹部３４の底との間に隙間が形成されるようにした。また、リング状に成形された合成樹脂製のパッキン１５をレンズ部材１２の鏡筒部１２ｃに環装し、鏡筒部１２ｃのレンズホルダー１４内への収納にあたって、パッキン１５が保持筒２３の後端とレンズ部材１２の基台部１２ｄの前面とにより前後から挟持されるようにした。【選択図】図４
2020154170.tif 000002
【特許請求の範囲】
【請求項１】
前ケースと後ケースとを組み付けてなる本体ケース内に、撮像素子が搭載されたカメラ基板と、前記カメラ基板の前面に固定される基台部、前記基台部から前方へ突出する鏡筒部、及び前記鏡筒部内に保持されるレンズを有するレンズ部材と、前記カメラ基板の前側に配され、前記鏡筒部を収納可能であるとともに前部に前記レンズを露出するためのレンズ孔が開設されたレンズホルダーと、前記カメラ基板の後側に配される本体、及び前記本体から後方へ突設され、前記本体ケースの後面から前記本体ケース外へ突出する操作摘まみを有する角度調整部材とを備えたカメラがパン・チルト角度調整可能に設置されており、前記カメラによって前記本体ケースの前方を撮像可能なインターホン機器であって、
前記レンズホルダーに、前記カメラ基板を貫通して後側へ突出する複数のガイド突起が設けられているとともに、前記角度調整部材の前記本体に、前記ガイド突起の先端を差し込み可能で、且つ、前記ガイド突起における前記カメラ基板の後側への突出量よりも底が深いガイド凹部が前記ガイド突起と同数設けられており、
前記本体を前記カメラ基板の後側に配した際、各前記ガイド突起の先端と前記ガイド凹部の底との間に隙間が形成されている一方、
リング状に成形された合成樹脂製のパッキンが前記鏡筒部に環装され、前記鏡筒部の前記レンズホルダー内への収納にあたって、前記パッキンが前記レンズホルダー側と前記基台部の前面とにより前後から挟持されており、
前記パッキンの弾性力によって、前記レンズホルダーが前記前ケースの内面に、前記角度調整部材が前記後ケースの内面に夫々密接し、前記カメラが前記前ケースと前記後ケースとにより挟持されていることを特徴とするインターホン機器。
【発明の詳細な説明】
【技術分野】
【０００１】
本発明は、たとえば来訪者等を撮像するためのカメラを備えたインターホン機器に関するものである。
【背景技術】
【０００２】
従来、たとえば玄関に設置されるインターホン子機等のインターホン機器には、周囲や来訪者を撮像するためのカメラが備えられている。また、カメラとして、左右方向を軸として回転するレンズホルダーにレンズを保持させる等することにより、インターホン機器の設置環境等に応じて上下方向や左右方向での撮像角度、すなわちパン・チルト角度を調整可能に構成されたものを採用してなるインターホン機器も考案されている。そして、そのような撮像角度を調整可能なカメラを備えたインターホン機器にあっては、たとえば特許文献１に記載されているように、レンズホルダーと撮像素子が搭載されたカメラ基板とをネジ止め等することにより一体化していた。
【先行技術文献】
【特許文献】
【０００３】
【特許文献１】特開２０１７−３４３００号公報
【発明の概要】
【発明が解決しようとする課題】
【０００４】
しかしながら、撮像角度を調整可能なカメラを備えたインターホン機器では、撮像角度を調整可能にするための構造やカメラ周りの防水構造等が複雑化するため、部品点数が増加する等の問題が生じてしまう。
【０００５】
そこで、本発明は、上記問題に鑑みなされたものであって、構造の合理化を図ったインターホン機器を提供しようとするものである。
【課題を解決するための手段】
【０００６】
上記目的を達成するために、本発明は、前ケースと後ケースとを組み付けてなる本体ケース内に、撮像素子が搭載されたカメラ基板と、カメラ基板の前面に固定される基台部、基台部から前方へ突出する鏡筒部、及び鏡筒部内に保持されるレンズを有するレンズ部材と、カメラ基板の前側に配され、鏡筒部を収納可能であるとともに前部にレンズを露出するためのレンズ孔が開設されたレンズホルダーと、カメラ基板の後側に配される本体、及び本体から後方へ突設され、本体ケースの後面から本体ケース外へ突出する操作摘まみを有する角度調整部材とを備えたカメラがパン・チルト角度調整可能に設置されており、カメラによって本体ケースの前方を撮像可能なインターホン機器であって、レンズホルダーに、カメラ基板を貫通して後側へ突出する複数のガイド突起が設けられているとともに、角度調整部材の本体に、ガイド突起の先端を差し込み可能で、且つ、ガイド突起におけるカメラ基板の後側への突出量よりも底が深いガイド凹部がガイド突起と同数設けられており、本体をカメラ基板の後側に配した際、各ガイド突起の先端とガイド凹部の底との間に隙間が形成されている一方、リング状に成形された合成樹脂製のパッキンが鏡筒部に環装され、鏡筒部のレンズホルダー内への収納にあたって、パッキンがレンズホルダー側と基台部の前面とにより前後から挟持されており、パッキンの弾性力によって、レンズホルダーが前ケースの内面に、角度調整部材が後ケースの内面に夫々密接し、カメラが前ケースと後ケースとにより挟持されていることを特徴とする。
【発明の効果】
【０００７】
本発明によれば、レンズホルダーに、カメラ基板を貫通して後側へ突出する複数のガイド突起を設けるとともに、角度調整部材の本体に、ガイド突起の先端を差し込み可能で、且つ、ガイド突起におけるカメラ基板の後側への突出量よりも底が深いガイド凹部をガイド突起と同数設け、角度調整部材をカメラ基板の後側に配した際、各ガイド突起の先端とガイド凹部の底との間に隙間が形成されるようにした。また、リング状に成形された合成樹脂製のパッキンを鏡筒部に環装し、鏡筒部のレンズホルダー内への収納にあたって、パッキンがレンズホルダー側と基台部の前面とにより前後から挟持されるようにした。そして、パッキンの弾性力によって、レンズホルダーが前ケースの内面に、角度調整部材が後ケースの内面に夫々密接されるようにすることで、カメラが前ケースと後ケースとにより挟持されるようにした。すなわち、従来のようにレンズホルダーとカメラ基板とをネジ止め等して一体化することはない。そのため、従来はレンズホルダーを前ケースの内面に押し付ける機能しか有していなかったパッキンを利用して、角度調整部材を後ケースの内面に押し付けることができる。したがって、１つのパッキンで、レンズホルダー側の防水のみならず、角度調整部材側の防水、及び角度調整部材の姿勢保持を図ることができ、構造が合理化されたインターホン機器とすることができる。
【図面の簡単な説明】
【０００８】
【図１】インターホン子機を前側から示した斜視説明図である。
【図２】分解状態にあるインターホン子機を前側から示した斜視説明図である。
【図３】分解状態にあるインターホン子機を後側から示した斜視説明図である。
【図４】インターホン子機のカメラ部分の鉛直断面を示した斜視説明図である。
【図５】インターホン子機のカメラ部分の水平断面を示した斜視説明図である。
【発明を実施するための形態】
【０００９】
以下、本発明の一実施形態となるインターホン子機について、図面にもとづき詳細に説明する。
【００１０】
図１は、インターホン子機１を前側から示した斜視説明図である。図２は、分解状態にあるインターホン子機１を前側から示した斜視説明図である。図３は、分解状態にあるインターホン子機１を後側から示した斜視説明図である。図４は、インターホン子機１のカメラ１１部分の鉛直断面を示した斜視説明図である。図５は、インターホン子機１のカメラ１１部分の水平断面を示した斜視説明図である。
【００１１】
インターホン子機１は、前側に配置される前ケース２と、後側に配置される後ケース３とで構成される本体ケース、及び本体ケースの前面に取り付けられる化粧カバー９を有してなる。本体ケースの前面上部には、カメラ窓５が開設されており、カメラ窓５内にレンズ１２ａが露出するように、カメラ１１が本体ケース内に設置されている。また、カメラ窓５の右側には、通話のためのマイク部６が設けられている。さらに、カメラ窓５の下側には、来訪者が居住者を呼び出す際に操作する呼出ボタン７と、通話のためのスピーカ部８とが設けられている。そして、このようなインターホン子機１は、住戸の玄関の壁面等に設置されており、来訪者によって呼出ボタン７が操作されると、住戸内に設置されているインターホン親機（図示せず）を呼び出すとともに、カメラ１１を作動させて来訪者を撮像する。なお、４は、カメラ窓５を覆うカメラカバーである。また、カメラ１１が撮像した映像は、インターホン親機のモニタに表示される。さらに、１０は、インターホン子機１を壁面に取り付けるための取付台である。
【００１２】
ここで、本発明の要部となるカメラ１１について説明する。
カメラ１１は、レンズ１２ａを有するレンズ部材１２と、前面にレンズ部材１２が固定されたカメラ基板１３と、カメラ基板１３の前側でレンズ部材１２を保持するレンズホルダー１４と、レンズホルダー１４とレンズ部材１２との間に配されるパッキン１５と、カメラ基板１３の後側に配される角度調整部材１６とを備えてなる。レンズ部材１２は、基台部１２ｂと基台部１２ｂから前方へ突出する鏡筒部１２ｃとを有してなり、鏡筒部１２ｃ内にレンズ１２ａが保持されている。そして、該レンズ部材１２は、基台部１２ｂに設けられた基板固定部１２ｄ、１２ｄへのネジ止めにより、カメラ基板１３と一体化されている。
【００１３】
カメラ基板１３は、撮像素子を始めとした種々の素子が搭載されてなるもので、レンズ部材１２を固定した際にレンズ部材１２に覆われない箇所には、３つの丸孔１７、１７・・が穿設されている。各丸孔１７の径は、後述するレンズホルダー１４のガイド突起２５の直径と略同じとされており、ガイド突起２５を挿通可能となっている。
【００１４】
レンズホルダー１４は、前方へ膨出するドーム状に成形された合成樹脂製の本体２１を有しており、該本体２１の前部中央には、レンズ１２ａを露出させるためのレンズ孔２２が開設されている。また、本体２１の前部から後側へ延びる周面部２１ａの表面は、後端縁が最大径の円形となる球面として形成されている。一方、レンズ孔２２の開口縁から後方（本体２１内方）へ向かって、レンズ部材１２の鏡筒部１２ｃを挿通可能な保持筒２３が突設されている。また、本体２１の上部及び下部の後端縁には、夫々上下外方へ突出する軸部２４が設けられている。加えて、本体２１の後端縁から後方へ向かって、３つのガイド突起２５、２５・・が突設されている。
【００１５】
パッキン１５は、弾性を有する合成樹脂製のリング状の部材であって、該パッキン１５の内径は、レンズ部材１２の鏡筒部１２ｃの外径と略同じとされている。一方、パッキン１５の外径は、レンズホルダー１４のレンズ孔２２よりは大径であるものの、レンズホルダー１４の前部よりは小径とされている。そして、パッキン１５は、レンズ部材１２の鏡筒部１２ｃに環装させた状態で、レンズホルダー１４内へ収納可能となっている。
【００１６】
角度調整部材１６は、表面が球面とされた後方へ膨出するカバー状の本体３１を有しており、本体３１の後面中央部には、操作摘まみ３２が後方へ突設されている。また、本体３１の後面で、操作摘まみ３２の周囲には、４つの位置決め突起３３、３３・・が突設されている。さらに、角度調整部材１６の外周縁には、後方へ折り返された鍔部３１ａが設けられているとともに、レンズホルダー１４のガイド突起２５、２５・・と対応する位置に、夫々ガイド突起２５を前側から差し込み可能とされた３つのガイド凹部３４、３４・・が設けられている。なお、ガイド凹部３４の径は、ガイド突起２５の径と略同じとなっている。
【００１７】
一方、上記カメラ１１が設置される側の構造として、前ケース２の後面側には、カメラ窓４の開口縁から後方へ突出する支持筒４１が設けられている。該支持筒４１の内周面は、レンズホルダー１４の周面部２１ａが密接可能な球面に成形されている。また、カメラ窓４の上方及び下方には、カメラ１１のパン・チルト動作時に、レンズホルダー１４の軸部２４、２４の回転を許容しつつ及び上下方向への移動等を案内する案内部４２、４２が設けられている。一方、後ケース３には、操作摘まみ３２を本体ケース後方へ突出させるための操作窓４３が開設されている。また、後ケース３の前面で操作窓４３の周囲となる箇所には、角度調整部材１６の本体３１に密接可能とされた凹状の受け部４４が設けられている。さらに、受け部４４の前面には、位置決め突起３３が係合可能な多数の位置決め凹部４５、４５・・が凹設されている。
【００１８】
そして、上記カメラ１１を本体ケース内へ設置するに際しては、まずレンズ部材１２とカメラ基板１３とを一体化するとともに、鏡筒部１２ｃにパッキン１５を環装する。一方、前ケース２の後側から、案内部４２、４２に軸部２４、２４を係合させつつ、支持筒４１内へ本体２１の前部をはめ込むようにして、レンズホルダー１４を取り付ける。そして、レンズホルダー１４の後側から、ガイド突起２５、２５・・を対応する丸孔１７、１７・・に貫通させながら、保持筒２３内へ鏡筒部１２ｃの先端を嵌め込んで、本体２１内にパッキン１５及びレンズ部材１２を収納する。当該状態において、パッキン１５は、保持筒２３の後端とレンズ部材１２の基台部１２ｂ前面とにより前後から挟まれている。また、各ガイド突起２５はカメラ基板１３の後側へ突出するものの、その突出量はガイド凹部３４の深さより短くなっている。
【００１９】
次に、カメラ基板１３の後側へ突出しているガイド突起２５、２５・・の先端を対応するガイド凹部３４、３４・・に差し込んで、角度調整部材１６を配置する。当該状態では、上記の如く各ガイド突起２５の突出量よりもガイド凹部３４の深さの方が深いため、各ガイド凹部３４の周縁部がカメラ基板１３の後面に当接した状態となっている。そして最後に、操作窓４３から操作摘まみ３２を突出させながら後ケース３を前ケース２へ組み付ければ、本体ケース内にカメラ１１が設置される。
【００２０】
上述したような設置状態において、カメラ１１は、レンズホルダー１４の本体２１の周面部２１ａが支持筒４１内面に、角度調整部材１６の本体３１の後面が受け部４４の前面に夫々密接し、角度調整部材１６の位置決め突起３３、３３・・が後ケース３の位置決め凹部４５、４５・・のうちの何れかに係止した状態で、前ケース２と後ケース３とにより前後から挟持されている。そして、当該密接状態、ひいては位置決め突起３３と位置決め凹部４５との係止状態は、保持筒２３の後端とレンズ部材１２の基台部１２ｂ前面とにより挟まれているパッキン１５の弾性力によって維持されており、カメラ窓５や操作窓４３からの水の浸入防止及びカメラ１１のパン・チルト角度の保持が図られている。
【００２１】
そこで、カメラ１１のパン・チルト角度を調整したい場合には、角度調整部材１６の操作摘まみ３２を摘まむ等して、パッキン１５の弾性力に抗して角度調整部材１６を前方（本体ケース内方）へ押し込み、位置決め突起３３、３３・・と位置決め凹部４５、４５・・との係止状態を解除した後、角度調整部材１６の姿勢を変えればよい。この角度調整部材１６の押し込みは、ガイド突起２５、２５・・の先端とガイド凹部３４、３４・・の底との間の隙間によって可能となる。また、ガイド突起２５、２５・・がガイド凹部３４、３４・・に差し込まれていることで、角度調整部材１６の姿勢変化に連係してレンズホルダー１４の姿勢も変わる。したがって、角度調整部材１６の姿勢を変えることで、カメラ１１のパン・チルト角度を所望の角度に調整することができる。その後は、その姿勢のまま角度調整部材１６の押し込みを解除すれば、パッキン１５の弾性力によって再び角度調整部材１６が後ケース３内面に押し付けられ、位置決め突起３３、３３・・が当初とは別の位置決め凹部４５、４５・・に係止して、当該パン・チルト角度のまま保持されることになる。
【００２２】
以上のような構成を有するインターホン子機１によれば、レンズホルダー１４に、カメラ基板１３を貫通して後側へ突出する３つのガイド突起２５、２５・・を設けるとともに、角度調整部材１６の本体３１に、ガイド突起２５の先端を差し込み可能で、且つ、ガイド突起２５におけるカメラ基板１３の後側への突出量よりも底が深い３つのガイド凹部３４、３４・・を設け、角度調整部材１６をカメラ基板１３の後側に配した際、各ガイド突起２５の先端とガイド凹部３４の底との間に隙間が形成されるようにした。また、リング状に成形された合成樹脂製のパッキン１５をレンズ部材１２の鏡筒部１２ｃに環装し、鏡筒部１２ｃのレンズホルダー１４内への収納にあたって、パッキン１５が保持筒２３の後端とレンズ部材１２の基台部１２ｂの前面とにより前後から挟持されるようにした。そして、パッキン１５の弾性力によって、レンズホルダー１４が支持筒４１の内面に、角度調整部材１６の本体３１が受け部４４の前面に夫々密接されるようにすることで、カメラ１１が前ケース２と後ケース３とにより前後から挟持されるようにした。すなわち、従来のようにレンズホルダー１４とカメラ基板１３とをネジ止め等して一体化することはない。そのため、従来はレンズホルダー１４を前ケース２の内面に押し付ける機能しか有していなかったパッキン１５を利用して、角度調整部材１６を後ケース３の内面に押し付けることができる。したがって、１つのパッキン１５で、レンズホルダー１４側の防水のみならず、角度調整部材１６側の防水、及び角度調整部材１６の姿勢保持、ひいてはカメラ１１のパン・チルト角度の保持を図ることができ、構造が合理化されたインターホン子機１とすることができる。
【００２３】
なお、本発明に係るインターホン機器は、全体的な構成は勿論、カメラそのものの構成やカメラの設置に係る構成等についても、本発明の趣旨を逸脱しない範囲で必要に応じて適宜変更することができる。
【００２４】
たとえば上記実施形態では、レンズホルダーに設けられた保持筒によりパッキンを挟持するように構成しているが、レンズホルダーの本体内面にパッキンを挟持するための爪を保持筒とは別に設ける等してもよく、パッキンを挟持するためのレンズホルダー側の構成については適宜設計変更可能である。
また、上記実施形態ではインターホン子機について説明しているが、本発明は、カメラを備えてさえいれば、インターホン親機や集合玄関機等の他のインターホン機器についても好適に採用することができる。
【符号の説明】
【００２５】
１・・インターホン子機（インターホン機器）、２・・前ケース、３・・後ケース、５・・カメラ窓、１１・・カメラ、１２・・レンズ部材、１２ａ・・レンズ、１２ｂ・・基台部、１２ｃ・・鏡筒部、１３・・カメラ基板、１４・・レンズホルダー、１５・・パッキン、１６・・角度調整部材、１７・・丸孔、２１・・本体、２１ａ・・周面部、２２・・レンズ孔、２３・・保持筒、２５・・ガイド突起、３１・・本体、３２・・操作摘まみ、３３・・位置決め突起、３４・・ガイド凹部、４１・・支持筒、４３・・操作窓、４４・・受け部、４５・・位置決め凹部。
【図１】
2020154170.tif 000003
【図２】
2020154170.tif 000004
【図３】
2020154170.tif 000005
【図４】
2020154170.tif 000006
【図５】
2020154170.tif 000007